(57)【要約】【課題】室外機端子部に接続された接続電線の引廻し部に生じる隙間から機内へのゴミや雨水、ミスト等の浸入を抑えかつ機内の電装部品を冷却し得る空気調和機の室外機を提供すること。【解決手段】本発明の空気調和機の室外機は、筐体の側面に電線を接続する端子台と、端子台を覆う端子部カバーと、端子部カバーには端子台に接続された電線を外部に取り出す接続電線連通部と、端子部カバーを覆う配管カバーとを備え、配管カバーは外部に電線および冷媒配管を引き回すための配管連通部を有し、配管連通部から挿入される電線を端子台に接続される空気調和機の室外機であって、配管カバーの内側には電線が導通する接続電線導通部を有する仕切壁を配し、接続電線導通部を介して配管連通部から端子台に電線が導かれる。【選択図】図２
2012149780.tif 000002
【特許請求の範囲】
【請求項１】
筐体の側面に電線を接続する端子台と、前記端子台を覆う端子部カバーと、前記端子部カバーには前記端子台に接続された電線を外部に取り出す接続電線連通部と、前記端子部カバーを覆う配管カバーとを備え、前記配管カバーは外部に前記電線および冷媒配管を引き回すための配管連通部を有し、前記配管連通部から挿入される前記電線を前記端子台に接続される空気調和機の室外機であって、前記配管カバーの内側には前記電線が導通する接続電線導通部を有する仕切壁を配し、前記接続電線導通部を介して前記配管連通部から前記端子台に前記電線が導かれることを特徴とする空気調和機の室外機。
【請求項２】
前記接続電線連通部よりも下方に前記仕切板を配置することを特徴とする請求項１に記載の空気調和機の室外機。
【請求項３】
前記接続電線連通部よりも所定の距離だけ下方に前記仕切板を配置することを特徴とする請求項２に記載の空気調和機の室外機。
【請求項４】
筐体の側面に風を内部に取り入れる開口部を設け、前記所定の距離は、前記開口部を形成する最少の長さ部分よりも短いことを特徴とする請求項３に記載の空気調和機の室外機。
【発明の詳細な説明】
【技術分野】
【０００１】
本発明は、室内機や電源ブレーカ等への接続電線を接続する端子台を配置している部分の開口部を２種類のカバーで覆った空気調和機の室外機に関するものである。
【背景技術】
【０００２】
従来、この種の空気調和機の室外機は、室内機からの冷媒配管が本体側面側に設けた接続弁に接続され、さらに室内機や電源ブレーカからの電線が本体側面側に設けた端子台に接続される構成であり、端子台を外側から覆う端子部カバーと、さらに端子部カバーと接続弁とを外側から覆う配管カバーとを有している（例えば、特許文献１参照）。
【０００３】
図１１（ａ）は、特許文献１に記載の空気調和機の室外機の正面図であり、図１１（ｂ）は、同室外機の側面図である。図５に示すように、電線が接続される端子台９と、端子台９の外側から覆う端子部カバー１４と、端子部カバー１４のさらに外側から覆う配管カバー１３とを備えている。
【０００４】
また、従来から空気調和機の室外機は、天板２、側板３ａ、側板３ｂ、前板４、基板５からなる外郭と、基板５の一方の側板３ｂ側の上部に電装品箱６、下部に圧縮機等（図示せず）の冷凍サイクル部品を収納している機械室７と、電装品箱６の側面に室内機（図示せず）と内外通信用の電線８を介して電線接続するための端子台９と、側板３ａには端子台９へ電線接続するための端子台開口部１０と、機械室７の側面に室内機と冷媒配管１１を介して接続する接続弁１２と、端子台開口部１０と接続弁１２を覆う配管カバー１３と、配管カバー１３の内にあって端子台開口部１０を覆う端子部カバー１４を配置し、配管カバー１３に電線８や冷媒配管１１を機外へ連通する配管連通部１８を具備して構成されている。
【先行技術文献】
【特許文献】
【０００５】
【特許文献１】特開平７−６３３７６号公報
【発明の概要】
【発明が解決しようとする課題】
【０００６】
しかしながら、前記従来の構成では、室内機からの接続電線は端子台に接続後、端子部カバーで固定し引出され、最後に配管カバーで覆われるが、配管カバーに設けられた配管連通部より、雨水やゴミ、ミストが配管カバー内を通って端子台開口部の隙間から機内に浸入するとともに、冷媒配管や接続電線の引廻し方によって配管カバーの配管連通部の隙間が変わるため機内の電装部に安定した冷却を供給することが困難であるという課題を有していた。
【０００７】
本発明は、前記従来の課題を解決するもので、室外機端子部に接続された接続電線の引廻し部に生じる隙間から機内へのゴミや雨水、ミスト等の浸入を抑えかつ機内の電装部品を冷却し得る空気調和機の室外機を提供することを目的とする。
【課題を解決するための手段】
【０００８】
前記従来の課題を解決するために、本発明の空気調和機の室外機は、筐体の側面に電線を接続する端子台と、端子台を覆う端子部カバーと、端子部カバーには端子台に接続された電線を外部に取り出す接続電線連通部と、端子部カバーを覆う配管カバーとを備え、配管カバーは外部に電線および冷媒配管を引き回すための配管連通部を有し、配管連通部か
ら挿入される電線を端子台に接続される空気調和機の室外機であって、配管カバーの内側には電線が導通する接続電線導通部を有する仕切壁を配し、接続電線導通部を介して配管連通部から端子台に電線が導かれることにより、仕切壁によって端子台が機外へ連通する箇所を少なくすることができ、ゴミ等の侵入を防ぐことができる。
【発明の効果】
【０００９】
本発明は、室外機端子部に接続された接続電線の引廻し部に生じる隙間から機内へのゴミや雨水、ミスト等の浸入を抑えかつ機内の電装部品を冷却し得る空気調和機の室外機を提供することができる。
【図面の簡単な説明】
【００１０】
【図１】（ａ）本発明の実施の形態１における空気調和機の室外機の正面図（ｂ）同室外機の側面図
【図２】同実施の形態１における空気調和機の室外機の要部正面図
【図３】同実施の形態１におけるＡＡ断面図
【図４】同実施の形態１におけるＢＢ断面図
【図５】同実施の形態１における要部詳細図
【図６】同実施の形態１における要部詳細図
【図７】同実施の形態１におけるＣＣ断面図
【図８】（ａ）同実施の形態１における空気調和機の室外機の正面図（ｂ）同室外機の側面図
【図９】同実施の形態１における空気調和機の室外機の要部正面図
【図１０】同実施の形態１におけるＤＤ断面図
【図１１】（ａ）従来の空気調和機の室外機の正面図（ｂ）従来の空気調和機の室外機の側面図
【発明を実施するための形態】
【００１１】
第１の発明の空気調和機の室外機は、筐体の側面に電線を接続する端子台と、端子台を覆う端子部カバーと、端子部カバーには端子台に接続された電線を外部に取り出す接続電線連通部と、端子部カバーを覆う配管カバーとを備え、配管カバーは外部に電線および冷媒配管を引き回すための配管連通部を有し、配管連通部から挿入される電線を端子台に接続される空気調和機の室外機であって、配管カバーの内側には電線が導通する接続電線導通部を有する仕切壁を配し、接続電線導通部を介して配管連通部から端子台に電線が導かれることにより、仕切壁によって端子台が機外へ連通する箇所を少なくすることができ、ゴミ等の侵入を防ぐことができる。
【００１２】
第２の発明の空気調和機の室外機は、特に第１の発明において、接続電線連通部よりも下方に仕切板を配置することにより、室外機外からのゴミの侵入を防ぎつつ、接続電線連通部と仕切板との隙間から風を吸い込み、室外機内部を冷却する風を送ることができる。
【００１３】
第３の発明の空気調和機の室外機は、特に第２の発明において、接続電線連通部よりも所定の距離だけ下方に仕切板を配置することにより、所定の距離を確保することで確実に風を内部に取り込める。
【００１４】
第４の発明の空気調和機の室外機は、特に第３の発明において、筐体の側面に風を内部に取り入れる開口部を設け、所定の距離は、開口部を形成する最少の長さ部分よりも短いことにより、開口部からゴミが内部に侵入し、室外機内部を経て接続電線連通部付近に到達しても、接続電線連通部と仕切板との距離が、ゴミが侵入する侵入口の最少長さよりも小さく設定しているので、端子台への侵入は防ぐことができる。
【００１５】
以下、本発明の実施の形態について、図面を参照しながら説明する。なお、この実施の形態によって本発明が限定されるものではない。
【００１６】
（実施の形態１）
図１（ａ）は、本発明の実施の形態１における空気調和機の室外機の一部を切断して示す正面図、図１（ｂ）は同室外機の側面図であり、図２は同室外機の要部正面図である。また、図３はＡＡ断面図、図４はＢＢ断面図である。
【００１７】
図１および図２において、本実施の形態の空気調和機の室外機１は、天部を構成する天板２と、左右両側面部を構成する側板３ａおよび側板３ｂと、前面部を構成する前板４と、底部を構成する基板５とで筐体が構成されている。また、基板５の一方側には圧縮機等（図示せず）の冷凍サイクル部品を収納する機械室７と、機械室７の上部に電装品が納められた電装品箱６が配置される。なお、本実施の形態では図１を正面から見て右側に機械室７と電装品箱６が配置される構成となっている。
【００１８】
さらに、電装品箱６の側面には室内機（図示せず）と内外通信用の電線８を接続するための端子台９が設けられている。本実施の形態では側板３ａの一部に端子台開口部１０を設けて、機外から挿入される電線８を端子台９に接続可能な構成となっている。
【００１９】
また、機械室７内部に配置される冷凍サイクル部品に室内機からの冷媒管を接続するための接続弁１２ａおよび接続弁１２ｂが側板３ａ上に配置され、機械室７の側面に接続弁１２ａおよび接続弁１２ｂが設けられている。そして室内機からの冷媒管１１ａおよび冷媒管１１ｂが接続され、室内機と室外機１とで一つの冷凍サイクルを構成する。
【００２０】
また、端子台開口部１０を覆うように端子部カバー１４を配置し、端子部カバー１４にネジ１５で電線８を密着固定する接続電線固定部１６と、端子部カバー１４の下端には電線８を外部に引き回すための接続電線連通部１７が設けられている。
【００２１】
そして、端子部カバー１４の外方と接続弁１２ａおよび接続弁１２ｂを一体的に覆う配管カバー１３を配置し、配管カバー１３には室外機外に電線８および冷媒管１１ａおよび１１ｂを取り出すための配管連通部１８が設けられている。
【００２２】
次に、配管カバー１３の内部構造について説明する。図３および図４に示すように、配管カバー１３の内部には仕切壁２０が設けられており、仕切壁２０には電線８を端子台９側から接続弁１２ａおよび１２ｂ側へ引き回すための接続電線導通部１９を有している。そして仕切壁２０によって配管カバー１３を取り付けたときに配管カバー１３の内部を端子台９側と接続弁１２ａおよび１２ｂ側とに区画している。
【００２３】
図５および図６は要部詳細図であり、図５および図６に示すように、端子部カバー１４に設けた接続電線連通部１７の形状と、仕切壁２０に設けた接続電線導通部１９の形状は略同一形状とし、接続電線連通部１７と接続電線導通部１９とがそれぞれ相対する位置に設けることで、電線８を固定する際の遊びの部分をなくし電線８が動いてしまうことを防止している。
【００２４】
また、図１（ｂ）に示すように、室外機１の側面側には、室外機１の内部に風を取り入れるための開口部２１を有しており、図７は、開口部２１のＣＣ断面図である。
【００２５】
以上のように構成された空気調和機の室外機について、以下その動作、作用を説明する。
【００２６】
まず、室外機１の据付工事においては、一旦、配管カバー１３を取外し、冷媒管１１ａおよび１１ｂを接続弁１２ａおよび１２ｂに接続させる。さらに、端子部カバー１４を取外して、端子台開口部１０から内外通信用の電線８を端子台９に接続し、再度、端子部カバー１４で覆う。その際、端子部カバー１４の固定部で内外通信用の電線８をネジ１５ａおよび１５ｂで密着固定し、接続電線連通部１７より内外通信用の電線８を引き出す。
【００２７】
その後、配管カバー１３を装着するが、端子部カバー１４の接続電線連通部１７と配管カバー１３の仕切壁２０にある接続電線導通部１９がほぼ同一の形状で、かつ、両者が近接して配置しているので、内外通信用の電線８の引回しの影響を受けず、配管カバー１３の配管連通部１８より機外へと引回すことができる。
【００２８】
その結果、仕切壁２０が機外へ連通している配管連通部１８を有する接続弁側と、端子台９側とを分断することになる。
【００２９】
また、接続電線連通部１７の下端よりも仕切壁２０を下方部に位置させており、さらに、接続電線連通部１７と仕切壁２０との間に所定の距離Ｌａを開けて近接させている。このとき、所定の距離Ｌａは、開口部２１の開口部分を形成する部分の最少長さよりも小さくしている。
【００３０】
具体的には、図７に示すように、開口部２１は側板３ａの一部を切り起して開口しており、複数の開口部分２１ａ〜２１ｅを有している。そして開口部２１の一つの開口部分２１ａで説明すると、側板３ａの下端から切り起された側板３ａに対して垂直に仮想的に降ろした線の長さＬが最少長さとしている。
【００３１】
開口部２１から空気が取り込まれる際に、少なくとも長さＬ未満の長さを有するゴミが取り込まれる可能性があり、所定の距離Ｌａを長さＬ以下とすることによって、開口部２１から取り込まれるゴミのうち、ある程度のゴミの侵入を防ぐことができる。よって、所定の距離Ｌａを長さＬ以下とすることで、端子台９へのゴミの侵入をより防ぐという効果を奏することになる。
【００３２】
さらに、所定の距離Ｌａを設けることによって、この隙間より端子台９へと風を送ることができるため、冷却効果を高めることもできる。
【００３３】
図８（ａ）、図８（ｂ）は本実施の形態の変形例である。図８（ａ）および図８（ｂ）は、端子台９へ接続線が２経路から接続される構成となっている、一つは室内機と接続される通信のための接続線８ａと、もう一つは電源ブレーカ等から直接電源が供給されるための接続線８ｂとなっている。そして、それぞれが端子台９ａおよび端子台９ｂへ接続される。
【００３４】
図９は要部正面図であり、図１０はＤＤ断面図である。図９が図２と異なる箇所は、ネジ１５ａおよび１５ｂで固定されている箇所から、接続電線連通部１７の下端までが長く構成されているところである。図９に示すように、端子台９へ接続される電線の本数が異なれば、それに併せて端子部カバー１４の形状および接続電線導通部１９の形状が変形される。つまり、本実施の形態においては、接続電線導通部１９の幅は、電線８の幅に併せて変更され、電線８の数に限らず電線を固定した時に遊びが発生しないようにしている。
【００３５】
以上のように、本実施の形態では、端子台９へのゴミ等の侵入を防ぎつつも、冷却効果を向上させることができる。
【産業上の利用可能性】
【００３６】
以上のように本発明は、空気調和機をはじめ冷凍サイクルを用いる産業機器、製品等の用途に使用できる。
【符号の説明】
【００３７】
１  室外機
８  電線
９  端子台
１０  端子台開口部
１３  配管カバー
１４  端子部カバー
１７  接続電線連通部
１８  配管連通部
１９  接続電線導通部
２０  仕切壁
【図１】
2012149780.tif 000003
【図２】
2012149780.tif 000004
【図３】
2012149780.tif 000005
【図４】
2012149780.tif 000006
【図５】
2012149780.tif 000007
【図６】
2012149780.tif 000008
【図７】
2012149780.tif 000009
【図８】
2012149780.tif 000010
【図９】
2012149780.tif 000011
【図１０】
2012149780.tif 000012
【図１１】
2012149780.tif 000013